(57)【要約】【課題】不要な加速を抑制するとともに、先行車両に対して安定して追従することができる走行制御装置を提供する。【解決手段】本発明に係る走行制御装置１は、自車両が走行している車線上で、自車両の最も近くに存在する先行車両の走行状態を判定する先行車両走行状態判定部２１と、先行車両走行状態判定部２１によって判定された先行車両の走行状態に基づいて、加速度の制限値を設定して自車両の走行制御を行う走行制御部２２と、を備える。【選択図】図１
2012153296.tif 000002
【特許請求の範囲】
【請求項１】
先行車両の走行状態を判定する先行車両走行状態判定手段と、
前記先行車両走行状態判定手段によって判定された前記先行車両の走行状態に基づいて、加速度の制限値を設定して自車両の走行制御を行う走行制御手段と、
を備える走行制御装置。
【請求項２】
前記走行制御手段は、前記先行車両走行状態判定手段によって判定された前記先行車両の走行状態に基づいて、目標車間距離を設定して自車両の走行制御を行う、
請求項１に記載の走行制御装置。
【請求項３】
自車両の渋滞区間における走行区間を判定する走行区間判定手段をさらに備え、
前記走行制御手段は、前記先行車両走行状態判定手段によって判定された前記先行車両の走行状態と、前記走行区間判定手段によって判定された自車両の走行区間と、に基づいて、加速度の制限値を設定して自車両の走行制御を行う、
請求項１又は２に記載の走行制御装置。
【発明の詳細な説明】
【技術分野】
【０００１】
本発明は、車両の走行を制御する走行制御装置に関するものである。
【背景技術】
【０００２】
従来、先行車両に追従走行する追従走行制御を行う走行制御装置が知られている。従来の走行制御装置は、先行車両の速度変動に追従するため、先行車両との相対速度をゼロとする制御を行っている。このような追従制御では、先行車両と同じかそれ以上の速度変動（加速及び減速）が生じる。このため、下記の特許文献１に記載の走行制御装置では、自車速と実加速度に基づいて、加速度上限値を算出し、急加速を行わないように自車両の走行制御を行っている。
【先行技術文献】
【特許文献】
【０００３】
【特許文献１】特開２００２−１２７７８２号公報
【発明の概要】
【発明が解決しようとする課題】
【０００４】
しかしながら、上記特許文献１に記載の走行制御装置は、自車両の走行状態に基づいて、加速度上限値を算出するため、先行車両に対する追従性能が十分でなかった。
【０００５】
そこで本発明は、このような問題点を解決するためになされたものであって、不要な加速を抑制するとともに、先行車両に対して安定した追従が可能な走行制御装置を提供することを目的とする。
【課題を解決するための手段】
【０００６】
上記課題を解決するため、本発明に係る走行制御装置は、先行車両の走行状態を判定する先行車両走行状態判定手段と、先行車両走行状態判定手段によって判定された先行車両の走行状態に基づいて、加速度の制限値を設定して自車両の走行制御を行う走行制御手段と、を備えることを特徴とする。
【０００７】
本発明によれば、先行車両の走行状態に基づいて加速度の制限値を設定することにより、先行車両の走行状態に応じた加速を行うことができる。その結果、不要な加速を抑制するとともに、先行車両に対して安定した追従を行うことが可能となる。
【０００８】
また本発明に係る走行制御装置において、走行制御手段は、先行車両走行状態判定手段によって判定された先行車両の走行状態に基づいて、目標車間距離を設定して自車両の走行制御を行うのが好ましい。これによれば、先行車両の走行状態に応じた目標車間距離で走行できる。このため、不要な加速を抑制するとともに、先行車両に対して安定した追従を行うことが可能となる。
【０００９】
また本発明に係る走行制御装置において、自車両の渋滞区間における走行区間を判定する走行区間判定手段をさらに備えてもよく、走行制御手段は、先行車両走行状態判定手段によって判定された先行車両の走行状態と、走行区間判定手段によって判定された自車両の走行区間と、に基づいて、加速度の制限値を設定して自車両の走行制御を行うのが好ましい。これによれば、渋滞区間を走行している場合に、渋滞区間の走行区間に応じて加速度の制限値を設定することにより、渋滞区間の走行区間を考慮した加速を行うことができる。このため、不要な加速を抑制するとともに、先行車両に対して安定した追従を行うことが可能となる。
【発明の効果】
【００１０】
本発明の走行制御装置によれば、不要な加速を抑制するとともに、先行車両に対して安定して追従することができる。
【図面の簡単な説明】
【００１１】
【図１】本発明の第１実施形態に係る走行制御装置の構成概略図である。
【図２】先行車両の速度変化と先行車両の走行状態との関係を示す図である。
【図３】本発明の第１実施形態に係る走行制御装置における目標加速度と加速度制限値による補正目標加速度との関係を示す図である。
【図４】本発明の第１実施形態に係る走行制御装置の走行制御処理を説明するためのフローチャートである。
【図５】本発明の第１実施形態に係る走行制御装置の第１変形例の走行制御処理を説明するためのフローチャートである。
【図６】渋滞区間における自車速と交通流速度とを示す図である。
【図７】本発明の第１実施形態に係る走行制御装置の第２変形例の走行制御処理を説明するためのフローチャートである。
【図８】本発明の第２実施形態に係る走行制御装置の構成概略図である。
【図９】自車速と目標車間距離との関係を示す図である。
【図１０】本発明の第２実施形態に係る走行制御装置の走行制御処理を説明するためのフローチャートである。
【図１１】本発明の第２実施形態に係る走行制御装置のＡＣＣによる自車速と従来のＡＣＣによる自車速とを比較する図である。
【発明を実施するための形態】
【００１２】
以下、添付図面を参照して本発明の実施の形態を詳細に説明する。なお、図面の説明において同一の要素には同一の符号を付し、重複する説明を省略する。
【００１３】
（第１実施形態）
図１は、第１実施形態の走行制御装置１の構成概略図である。走行制御装置１は、自車両に搭載され、自車両が走行している車線上で、自車両の最も近くに存在する先行車両（以下、単に「先行車両」という。）の走行状態を判定して、先行車両の走行状態に応じた走行制御を行う装置である。図１に示すように車両制御装置１は、車両ＥＣＵ（Electronic  Control  Unit）２と、車間距離計測装置３と、車速センサ４と、加速度センサ５と、通信装置６と、ナビゲーションシステム７と、ＡＣＣ（Adaptive  Cruise  Control）スイッチ８と、ブレーキアクチュエータ１１と、アクセルアクチュエータ１２と、ＨＭＩ（Human  Machine  Interface）装置１３と、を備えている。
【００１４】
車両ＥＣＵ２は、ＣＰＵ（Central  Processing  Unit）、ＲＯＭ（Read  Only  Memory）、ＲＡＭ（Random  Access  Memory）、及び入出力インターフェイス等を含むコンピュータを主体として構成されている。車両ＥＣＵ２は、車間距離計測装置３、車速センサ４、加速度センサ５、通信装置６、ナビゲーションシステム７、ＡＣＣスイッチ８、ブレーキアクチュエータ１１、アクセルアクチュエータ１２、及びＨＭＩ装置１３に接続されている。また車両ＥＣＵ２は、先行車両走行状態判定部２１と走行制御部２２とを備えている。車両ＥＣＵ２は、さらに交通流速度推定部２３と走行区間判定部２４とを備えてもよい。
【００１５】
車間距離計測装置３は、例えば自車両の前面中央に設けられており、先行車両との車間距離を計測する装置である。車間距離計測装置３は、例えばミリ波レーダである。車間距離計測装置３は、ミリ波を自車両から前方に向けて出射し、先行車両や対向車両、路側物、障害物等から反射してきたミリ波を受信する。そして、車間距離計測装置３は、出射から受信までの時間を計測することによって自車両から先行車両や対向車両、路側物、障害物までの距離を算出する。車間距離計測装置３は、算出した自車両から先行車両や対向車両、路側物、障害物までの距離に関する距離情報を車両ＥＣＵ２に送信する。
【００１６】
車速センサ４は、例えば自車両の車輪部に設けられ、車輪の回転数を検出しており、検出した車輪の回転数から走行状態の車速を算出する。車速センサ４は、算出した車速に基づく車速情報を車両ＥＣＵ２に送信する。加速度センサ５は、例えば自車両の前部に設けられており、自車両の前後加速度と横加速度を検出する。加速度センサ５は、各加速度に基づく加速度情報を車両ＥＣＵ２に送信する。
【００１７】
通信装置６は、主要道路などに設けられた路側装置、基地局、他車両の少なくともいずれかとの間で双方向通信を行う装置である。通信装置６は、路側装置、基地局、他車両の少なくともいずれかとの間における双方向通信によって例えば他車両の走行位置情報及び他車両の車速情報等を含む走行情報を取得する。通信装置６は、路側装置、基地局、又は他車両から取得した他車両の走行情報を車両ＥＣＵ２に送信する。
【００１８】
ナビゲーションシステム７は、自車両の走行位置を取得する不図示のＧＰＳ（Global  Positioning  System）受信機と、地図情報を記憶する不図示の地図情報ＤＢと、を備えており、地図情報ＤＢに記憶された地図情報に基づいて、入力された目的地までの経路を算出し、不図示の表示装置や音声装置等を用いて経路案内を行う。また、ナビゲーションシステム７は、自車両が現在走行している位置に関する走行位置情報、自車両の走行位置の近傍における地図情報、及び自車両の走行経路に関する走行経路情報を車両ＥＣＵ２に送信する。
【００１９】
ＡＣＣスイッチ８は、例えば自車両のステアリングに設けられており、運転者の操作によって、ＡＣＣを行うか否かについてのＯＮ−ＯＦＦが可能とされている。ＡＣＣスイッチ８は、ＡＣＣがＯＮとなっているか否かに関するＡＣＣＯＮ−ＯＦＦ情報を車両ＥＣＵ２に送信する。車両ＥＣＵ２は、ＡＣＣがＯＮとなっていることを示すＡＣＣＯＮ−ＯＦＦ情報をＡＣＣスイッチ８から受信することにより、自車両の走行制御を行う。
【００２０】
ブレーキアクチュエータ１１は、自車両のブレーキの制動量を制御するアクチュエータであり、車両ＥＣＵ２から出力される加減速度情報に基づいて、ブレーキの制動量を調整する。アクセルアクチュエータ１２は、自車両のスロットル開度を調整するアクチュエータであり、車両ＥＣＵ２から出力される加減速度情報に基づいて、スロットル開度を調整する。ＨＭＩ装置１３は、自車両に搭載され、運転者に通知を行う装置である。ＨＭＩ装置１３は、例えば表示装置、音声装置等である。ＨＭＩ装置１３は、車両ＥＣＵ２から出力される加速度情報や車間距離情報等の制御情報に基づいて通知を行い、運転者の運転を誘導する。
【００２１】
続いて、本実施形態の車両ＥＣＵ２の各機能について以下に説明を行う。
【００２２】
先行車両走行状態判定部２１は、先行車両の走行状態を判定する先行車両走行状態判定手段として機能する。先行車両走行状態判定部２１は、車間距離計測装置３から受信した先行車両との距離情報と、車速センサ４から受信した自車両の車速情報と、加速度センサ５から受信した自車両の加速度情報と、に基づいて、先行車両が加速を行っている加速モードであるか、減速を行っている減速モードあるか、あるいはほぼ一定の速度で走行している定常モードであるかを判定する。
【００２３】
図２は、先行車両の速度変化と先行車両の走行状態との関係を示す図である。図２に示すように、先行車両Ｍｐの車速Ｖｐが増加している期間は、先行車両Ｍｐが加速モードであることを示す。また、先行車両Ｍｐの車速Ｖｐが減少している期間は、先行車両Ｍｐが減速モードであることを示す。また、先行車両Ｍｐの車速Ｖｐがほぼ一定の期間は、先行車両ＭＰが定常モードであることを示す。
【００２４】
先行車両走行状態判定部２１は、後述する図３に示すように、さらに複数の走行状態を設定し、先行車両がいずれの走行状態であるかを判定するようにしてもよい。先行車両の加速度ａｐが１．０ｍ／ｓ２以上で、先行車両の相対速度ΔＶ（＝Ｖｐ−Ｖ）が１０ｋｍ／ｈ以上で、車間誤差ΔＬ（＝Ｌ−Ｌｔ）が５ｍ以上の場合、先行車両がオーバー加速モードであることを示す。先行車両の加速度ａｐが０．３ｍ／ｓ２以上１．０ｍ／ｓ２未満の場合、先行車両が加速モードであることを示す。先行車両の加速度ａｐが−０．３ｍ／ｓ２以上０．３ｍ／ｓ２未満の場合、先行車両が定常モードであることを示す。先行車両の加速度ａｐが−０．３ｍ／ｓ２未満の場合、先行車両が減速モードであることを示す。
【００２５】
先行車両走行状態判定部２１は、さらに車間距離計測装置３から受信した先行車両との距離情報と、車速センサ４から受信した自車両の車速情報と、加速度センサ５から受信した自車両の加速度情報と、に基づいて、先行車両の車速Ｖｐ及び加速度ａｐを算出する。
【００２６】
走行制御部２２は、先行車両走行状態判定部２１によって判定された先行車両の走行状態に基づいて、自車両の走行制御を行う走行制御手段として機能する。走行制御部２２は、目標車間距離設定部２２１と、目標加速度算出部２２２と、加速度制限値設定部２２３と、目標加速度設定部２２４と、を備えている。
【００２７】
目標車間距離設定部２２１は、先行車両に対する目標車間距離を設定する目標車間距離設定手段として機能する。第１実施形態においては、目標車間距離設定部２２１は、車速センサ４から受信した自車両の車速情報が示す自車速Ｖに基づいて目標車間距離Ｌｔを算出して設定する。目標車間距離設定部２２１は、例えば以下の目標車間式（１）を用いて目標車間距離Ｌｔを算出する。なお、最小車間距離Ｌｍｉｎ及び係数ｋは、目標車間距離設定部２２１に予め設定された値である。最小車間距離Ｌｍｉｎは、例えば３．５ｍに設定されている。
目標車間距離Lt=Lmin+kV…(1)
【００２８】
目標加速度算出部２２２は、先行車両に対する目標加速度を設定する目標加速度設定手段として機能する。目標加速度算出部２２２は、先行車両走行状態判定部２１により算出された先行車両の車速Ｖｐと、車速センサ４から受信した自車両の車速情報が示す自車速Ｖと、車間距離計測装置３から受信した先行車両との距離情報が示す実際の車間距離Ｌと、目標車間距離設定部２２１により設定された目標車間距離Ｌｔと、に基づいて目標加速度ａｔを算出する。目標加速度算出部２２２は、例えば以下の式（２）を用いて目標加速度ａｔを算出する。なお、係数ｋＶ及び係数ｋＬは、それぞれ目標加速度算出部２２２に予め設定された値である。
目標加速度at=kV(Vp-V)+kL(L-Lt)…(2)
【００２９】
加速度制限値設定部２２３は、先行車両走行状態判定部２１によって判定された先行車両の走行状態に基づいて、自車両の加速度の制限値である加速度制限値ａｌｉｍを設定する加速度制限値設定手段として機能する。加速度制限値設定部２２３は、例えば、先行車両走行状態判定部２１により判定された先行車両の走行状態が加速モード、定常モード、減速モードのいずれのモードであるかに応じて、予め各モードに対応付けて記憶されている加速度制限値ａｌｉｍを設定する。加速度制限値設定部２２３は、先行車両の走行状態に応じて、さらに複数の加速度制限値ａｌｉｍを設けてもよい。また、加速度制限値設定部２２３は、減速度制限値を設定してもよい。
【００３０】
目標加速度設定部２２４は、目標加速度算出部２２２によって算出された目標加速度ａｔを、加速度制限値設定部２２３によって設定された加速度制限値ａｌｉｍに基づいて補正し、補正目標加速度ａｌとして設定する目標加速度設定手段として機能する。具体的に説明すると、目標加速度設定部２２４は、目標加速度算出部２２２によって算出された目標加速度ａｔと、加速度制限値設定部２２３によって設定された加速度制限値ａｌｉｍとを比較する。そして、目標加速度ａｔと加速度制限値ａｌｉｍとが同じか、目標加速度ａｔの方が小さければ、目標加速度設定部２２４は、補正を行うことなく目標加速度ａｔを補正目標加速度ａｌとして設定する。一方、目標加速度ａｔの方が大きければ、目標加速度設定部２２４は、加速度制限値ａｌｉｍを補正目標加速度ａｌとして設定する。
【００３１】
目標加速度設定部２２４は、加速度制限値設定部２２３によって減速度制限値が設定されている場合には、目標加速度算出部２２２によって算出された目標加速度ａｔと、加速度制限値設定部２２３によって設定された減速度制限値とを比較する。そして、目標加速度ａｔと減速度制限値とが同じか、目標加速度ａｔの方が大きければ、目標加速度設定部２２４は、補正を行うことなく目標加速度ａｔを補正目標加速度ａｌとして設定する。一方、目標加速度ａｔの方が小さければ、目標加速度設定部２２４は、減速度制限値を補正目標加速度ａｌとして設定する。
【００３２】
図３は、目標加速度ａｔと加速度制限値ａｌｉｍによる補正目標加速度ａｌとの関係を示す図である。グラフＡ１は、先行車両の走行状態がオーバー加速モードの場合の目標加速度ａｔと補正目標加速度ａｌとの関係を示すグラフである。グラフＡ２は、先行車両の走行状態が加速モードの場合の目標加速度ａｔと補正目標加速度ａｌとの関係を示すグラフである。
【００３３】
グラフＡ３は、先行車両の走行状態が定常モードの場合の目標加速度ａｔと補正目標加速度ａｌとの関係を示すグラフである。グラフＡ４は、先行車両の走行状態が定常モードであり、且つ先行車両の相対速度ΔＶ（＝Ｖｐ−Ｖ）が０ｋｍ／ｈより大きい場合の目標加速度ａｔと補正目標加速度ａｌとの関係を示すグラフである。グラフＡ５は、先行車両の走行状態が減速モードの場合の目標加速度ａｔと補正目標加速度ａｌとの関係を示すグラフである。
【００３４】
先行車両走行状態判定部２１により判定された先行車両の走行状態がオーバー加速モードである場合、加速度制限値設定部２２３は、加速度制限値をａｌｉｍ１に設定する。ａｌｉｍ１は、例えば０．８ｍ／ｓ２である。先行車両走行状態判定部２１により判定された先行車両の走行状態が加速モードである場合、加速度制限値設定部２２３は、加速度制限値をａｌｉｍ２に設定する。ａｌｉｍ２は、例えば０．４ｍ／ｓ２である。先行車両走行状態判定部２１により判定された先行車両の走行状態が定常モードである場合、加速度制限値設定部２２３は、加速度制限値をａｌｉｍ３に設定する。ａｌｉｍ３は、例えば０．２ｍ／ｓ２である。
【００３５】
先行車両走行状態判定部２１により判定された先行車両の走行状態が定常モードであり、且つ先行車両の相対速度ΔＶ（＝Ｖｐ−Ｖ）が０ｋｍ／ｈより大きい場合、加速度制限値設定部２２３は、加速度制限値をａｌｉｍ４に設定する。ａｌｉｍ４は、例えば−０．１ｍ／ｓ２である。先行車両走行状態判定部２１により判定された先行車両の走行状態が減速モードである場合、加速度制限値設定部２２３は、加速度制限値をａｌｉｍ５に設定する。ａｌｉｍ５は、例えば−０．２ｍ／ｓ２である。
【００３６】
先行車両走行状態判定部２１により判定された先行車両の走行状態がオーバー加速モードである場合、目標加速度設定部２２４は、目標加速度ａｔと加速度制限値ａｌｉｍ１とが同じか、目標加速度ａｔの方が小さければ、補正を行うことなく目標加速度ａｔを補正目標加速度ａｌとして設定する。一方、目標加速度ａｔの方が大きければ、目標加速度設定部２２４は、加速度制限値ａｌｉｍ１を補正目標加速度ａｌとして設定する。先行車両が他の走行状態である場合も、目標加速度設定部２２４は、同様にして補正目標加速度ａｌを設定する。
【００３７】
走行制御部２２は、目標加速度設定部２２４によって設定された補正目標加速度ａｌに基づいて、加減速度情報をブレーキアクチュエータ１１及びアクセルアクチュエータ１２に送信し、ブレーキ及びアクセル（エンジン）の制御を行う。また、車両ＥＣＵ２は、ＨＭＩ装置１３に補正目標加速度ａｌを示す加速度情報を送信し、ＨＭＩ装置１３に補正目標加速度ａｌを通知させるようにしてもよい。
【００３８】
続いて、図４のフローチャートを用いて、走行制御装置１における走行制御処理について説明する。この処理は、車両ＥＣＵ２がＡＣＣオンを示すＡＣＣＯＮ−ＯＦＦ情報をＡＣＣスイッチ８から受信することにより、車両ＥＣＵ２に予め設定された周期で繰り返し実施される。
【００３９】
まず、先行車両走行状態判定部２１は、車間距離計測装置３から受信した先行車両との距離情報が示す実際の車間距離Ｌと、車速センサ４から受信した自車両の車速情報が示す自車速Ｖと、加速度センサ５から受信した自車両の加速度情報が示す加速度ａと、に基づいて、先行車両が加速を行っている加速モードであるか、減速を行っている減速モードあるか、あるいはほぼ一定の速度で走行している定常モードであるかを判定する（Ｓ１）。
【００４０】
次に、目標車間距離設定部２２１は、車速センサ４から受信した自車両の車速情報が示す自車速Ｖに基づいて、先行車両に対する目標車間距離Ｌｔを算出して設定する（Ｓ２）。目標車間距離設定部２２１は、例えば上記目標車間式（１）を用いて目標車間距離Ｌｔを算出する。そして、目標加速度算出部２２２は、先行車両走行状態判定部２１により算出された先行車両の車速Ｖｐと、車速センサ４から受信した自車両の車速情報が示す自車速Ｖと、車間距離計測装置３から受信した先行車両との距離情報が示す実際の車間距離Ｌと、目標車間距離設定部２２１により設定された目標車間距離Ｌｔと、に基づいて目標加速度ａｔを算出する（Ｓ３）。目標加速度算出部２２２は、例えば上記式（２）を用いて目標加速度ａｔを算出する。
【００４１】
加速度制限値設定部２２３は、例えば、先行車両走行状態判定部２１により判定された先行車両の走行状態が加速モード、定常モード、減速モードのいずれのモードであるかに応じて、予め各モードに対応付けて記憶されている加速度制限値ａｌｉｍを設定する（Ｓ４）。目標加速度設定部２２４は、目標加速度算出部２２２によって算出された目標加速度ａｔを、加速度制限値設定部２２３によって設定された加速度制限値ａｌｉｍに基づいて補正し、補正目標加速度ａｌとして設定する（Ｓ５）。そして、走行制御部２２は、Ｓ５で算出された補正目標加速度ａｌに基づいて、自車両の走行制御を行う（Ｓ６）。
【００４２】
このように、走行制御装置１によれば、先行車両の走行状態に基づいて、加速度の制限値を設定して自車両の走行制御を行うことにより、不要な加速を抑制するとともに、先行車両に対して安定した追従を行うことが可能となる。例えば、先行車両が加速モードである場合には、加速度制限値を通常より高く設定して、自車両の加速を許容する。先行車両が減速モードである場合には、加速度制限値を通常より低く設定して、自車両の加速を制限する。このように、走行制御を必要に応じてより適切に行うことが可能となる。その結果、燃費の向上及び乗り心地の向上が可能となる。
【００４３】
また、加速度制限値設定部２２３が減速度制限値を設けることにより、目標加速度算出部２２２によって算出された目標加速度が大きい減速度を示す場合であっても、目標加速度設定部２２４は、補正目標加速度を減速度制限値とすることで、急激な減速を抑制することができる。
【００４４】
（第１変形例）
走行制御装置１は、自車両が走行している走行経路の交通流速度Ｖtrafficを考慮して目標加速度ａｔを設定するようにしてもよい。この場合、車両ＥＣＵ２は、さらに交通流速度推定部２３を備える。
【００４５】
交通流速度推定部２３は、自車両が走行している地点における交通流速度Ｖtrafficを推定する交通流速度推定手段として機能する。交通流速度推定部２３は、例えば、一定の期間（数十秒程度）に車速センサ４から受信した複数の車速情報がそれぞれ示す自車速Ｖの平均値を交通流速度Ｖtrafficとして推定する。交通流速度推定部２３は、自車両が走行している走行経路上の複数の先行車両の車速を通信装置６を介して車車間通信で受信し、その平均値を交通流速度Ｖtrafficとして推定してもよい。
【００４６】
路側にトラフィックカウンターが一定距離間隔で設置されている場合には、交通流速度推定部２３は、走行経路上の複数のトラフィックカウンターが計測し算出した各地点の平均速度を、通信装置６を介して路車間通信で受信するようにしてもよい。そして、交通流速度推定部２３は、各地点の平均速度に基づいて、走行経路上の交通流速度Ｖtrafficを算出するようにしてもよい。例えば、交通流速度推定部２３は、各地点の平均速度をそれぞれその地点における交通流速度Ｖtrafficと推定し、これらを結ぶ曲線を用いて走行経路上の交通流速度Ｖtrafficを推定してもよい。
【００４７】
目標加速度算出部２２２は、交通流速度推定部２３により推定された交通流速度Ｖtrafficと、先行車両走行状態判定部２１により算出された先行車両の車速Ｖｐと、車速センサ４から受信した自車両の車速情報が示す自車速Ｖと、車間距離計測装置３から受信した先行車両との距離情報が示す実際の車間距離Ｌと、目標車間距離設定部２２１により設定された目標車間距離Ｌｔと、に基づいて目標加速度ａｔを算出する。目標加速度算出部２２２は、例えば以下の式（３）を用いて目標加速度ａｔを算出する。なお、係数ｋｔ、係数ｋＶ、及び係数ｋＬは、それぞれ目標加速度算出部２２２に予め設定された値である。
目標加速度at=kt(Vtraffic-V)+kV(Vp-V)+kL(L-Lt)…(3)
【００４８】
続いて、図５のフローチャートを用いて、走行制御装置１の第１変形例における走行制御処理について説明する。この処理は、車両ＥＣＵ２がＡＣＣオンを示すＡＣＣＯＮ−ＯＦＦ情報をＡＣＣスイッチ８から受信することにより、車両ＥＣＵ２に予め設定された周期で繰り返し実施される。
【００４９】
Ｓ１１及びＳ１２の処理は、図４のＳ１及びＳ２の処理と同様であるので、その説明を省略する。交通流速度推定部２３は、自車両が走行している地点における交通流速度Ｖtrafficを推定する（Ｓ１３）。そして、目標加速度算出部２２２は、交通流速度推定部２３により推定された交通流速度Ｖtrafficと、先行車両走行状態判定部２１により算出された先行車両の車速Ｖｐと、車速センサ４から受信した自車両の車速情報が示す自車速Ｖと、車間距離計測装置３から受信した先行車両との距離情報が示す実際の車間距離Ｌと、目標車間距離設定部２２１により設定された目標車間距離Ｌｔと、に基づいて目標加速度ａｔを算出する（Ｓ１４）。目標加速度算出部２２２は、例えば上記式（３）を用いて目標加速度ａｔを算出する。
【００５０】
以降、Ｓ１５〜Ｓ１７の処理は、図４のＳ４〜Ｓ６の処理と同様であるので、その説明を省略する。なお、Ｓ１３の処理は、Ｓ１４の処理以前であれば、どのタイミングで行われてもよい。
【００５１】
このように、走行制御装置１によれば、交通流速度推定部２３をさらに備えることにより、自車両が走行している地点における交通流速度Ｖtrafficを考慮して目標加速度ａｔを算出することができる。このため、交通流速度Ｖtrafficに応じた補正目標加速度ａｌを算出でき、この補正目標加速度ａｌに基づいて、自車両の走行制御を行うことができる。その結果、不要な加速を行うことを抑制し、燃費のさらなる向上及び乗り心地のさらなる向上が可能となる。
【００５２】
（第２変形例）
走行制御装置１は、自車両が渋滞区間を走行している場合、自車両が渋滞区間におけるどの区間を走行しているかを考慮して加速度制限値ａｌｉｍを設定するようにしてもよい。この場合、車両ＥＣＵ２は、さらに走行区間判定部２４を備える。
【００５３】
走行区間判定部２４は、自車両の渋滞区間における走行区間を判定する走行区間判定手段として機能する。走行区間判定部２４は、例えば車速センサ４から受信した車速情報に基づいて、自車両が渋滞区間におけるどの走行区間を走行しているかを判定する。走行区間判定部２４は、車速センサ４から受信した車速情報が示す自車速が所定の速度Ｖ１以下である場合に渋滞区間を走行していると判定する。速度Ｖ１は、予め走行区間判定部２４に設定されており、例えば４０ｋｍ／ｈである。また、走行区間判定部２４は、車速センサ４から受信した車速情報が示す自車速が所定の速度Ｖ２以上である場合に渋滞区間から抜けたと判定する。速度Ｖ２は、予め走行区間判定部２４に設定されており、例えば８０ｋｍ／ｈである。走行区間判定部２４は、渋滞区間を走行中に車速センサ４から受信した車速情報を不図示の走行情報記憶手段に記憶する。
【００５４】
走行区間判定部２４は、走行情報記憶手段に記憶された複数の車速情報を予め解析して、渋滞区間を複数の区間に分類している。走行区間判定部２４は、渋滞区間を、例えば渋滞区間に入った直後の区間であって車両が減速傾向を示す末尾区間、車両が安定した速度変動をする中心区間、渋滞区間から抜け出す手前の区間であって車両が加速傾向を示す回復区間、に分類している。走行区間判定部２４は、走行情報記憶手段に記憶された複数の車速情報を所定期間ごとに所定の時間間隔で抽出し、車速に関する平均値、標準偏差、尖度、歪度等の複数の変量を算出する。そして、走行区間判定部２４は、算出した複数の変量を多変量解析することで、２つの変量に纏めるための判別関数を算出する。さらに、走行区間判定部２４は、渋滞区間の各区間の境界線を示す判別直線を算出する。
【００５５】
走行区間判定部２４は、車速センサ４から受信した車速情報が示す自車速Ｖが所定の速度Ｖ１以下である場合に渋滞区間を走行していると判定する。走行区間判定部２４は、渋滞区間を走行していると判定すると、現在走行中に車速センサ４から受信した複数の車速情報に基づいて、車速に関する平均値、標準偏差、尖度、歪度等の複数の変量を算出する。走行区間判定部２４は、算出した判別関数及び判別直線を用いて、自車両が末尾区間、中心区間、回復区間のいずれの区間を走行しているか判定する。また、走行区間判定部２４は、車速センサ４から受信した車速情報が示す自車速Ｖが所定の速度Ｖ２以上である場合に渋滞区間から抜けたと判定する。
【００５６】
加速度制限値設定部２２３は、先行車両走行状態判定部２１によって判定された先行車両の走行状態と、走行区間判定部２４によって判定された自車両の走行区間と、に基づいて、自車両の加速度の制限値である加速度制限値ａｌｉｍを設定する。図６は、渋滞区間における自車速Ｖと交通流速度Ｖtrafficとを示す図である。一般的に、渋滞区間の末尾区間では、車速は大きい変動周期で次第に減速し、交通流速度Ｖtrafficは減速傾向を示す。また、渋滞区間の中間区間では、車速は安定した変動をし、交通流速度Ｖtrafficはほぼ一定の速度を示す。また、渋滞区間の回復区間では、車速は上昇を基調とした変動をし、交通流速度Ｖtrafficは加速傾向を示す。
【００５７】
加速度制限値設定部２２３は、自車両が渋滞区間の末尾区間を走行していると判定された場合には、先行車両は減速傾向を示すと予測されることから、渋滞区間に入る前よりも小さい加速度制限値ａｌｉｍを設定する。加速度制限値設定部２２３は、自車両が渋滞区間の中心区間を走行していると判定された場合には、車速の変動が少ないと予測されることから、さらに小さい加速度制限値ａｌｉｍを設定する。加速度制限値設定部２２３は、自車両が渋滞区間の回復区間を走行していると判定された場合には、先行車両は加速傾向を示すと予測されることから、他の走行区間と比較して大きい加速度制限値ａｌｉｍを設定し、自車両の加速を許容する。
【００５８】
続いて、図７のフローチャートを用いて、走行制御装置１の第２変形例における走行制御処理について説明する。この処理は、車両ＥＣＵ２がＡＣＣオンを示すＡＣＣＯＮ−ＯＦＦ情報をＡＣＣスイッチ８から受信することにより、車両ＥＣＵ２に予め設定された周期で繰り返し実施される。
【００５９】
まず、走行区間判定部２４は、自車両が渋滞区間を走行しているか否かを判定する（Ｓ２１）。走行区間判定部２４は、例えば車速センサ４から受信した車速情報が示す自車速Ｖが所定の速度Ｖ１以下である場合に渋滞区間を走行していると判定する。そして、自車両が渋滞区間を走行していると判定された場合（Ｓ２１；Ｙｅｓ）、走行区間判定部２４は、自車両が渋滞区間のいずれの走行区間を走行しているか判定する（Ｓ２２）。一方、Ｓ２１の判定において、自車両が渋滞区間を走行していないと判定された場合（Ｓ２１；Ｎｏ）、走行区間判定部２４は、自車両が通常の（渋滞区間でない）走行区間を走行していると判定する。以降、Ｓ２３〜Ｓ２５の処理は、図４のＳ１〜Ｓ３の処理と同様であるため、その説明を省略する。
【００６０】
次に、加速度制限値設定部２２３は、先行車両走行状態判定部２１によって判定された先行車両の走行状態と、走行区間判定部２４によって判定された自車両の走行区間と、に基づいて、自車両の加速度の制限値である加速度制限値ａｌｉｍを設定する（Ｓ２６）。以降、Ｓ２７及びＳ２８の処理は、図４のＳ５及びＳ６の処理と同様であるので、その説明を省略する。なお、Ｓ２１及びＳ２２の処理は、Ｓ２６の処理以前であれば、どのタイミングで行われてもよい。
【００６１】
このように、走行制御装置１によれば、走行区間判定部２４をさらに備えることにより、さらに渋滞区間の走行区間を考慮して加速度制限値ａｌｉｍを設定することができる。このため、渋滞区間の走行区間の特徴に応じた加速を行うことができる。その結果、不要な加速を行うことを抑制し、燃費の向上及び乗り心地の向上が可能となる。
【００６２】
（第２実施形態）
図８は、第２実施形態の走行制御装置１Ａの構成概略図である。第１実施形態の走行制御装置１と比較すると、走行制御装置１Ａは、車両ＥＣＵ２に代えて車両ＥＣＵ２Ａを備える点が異なる。第１実施形態の車両ＥＣＵ２と比較すると、車両ＥＣＵ２Ａは、先行車両走行状態判定部２１、走行制御部２２に代えて、先行車両走行状態判定部２１Ａ、走行制御部２２Ａを備える点が異なる。
【００６３】
先行車両走行状態判定部２１Ａは、先行車両走行状態判定部２１の機能に加えて、目標車間距離算出用に、先行車両の第２走行状態を判定する。先行車両走行状態判定部２１Ａは、先行車両が加速モードのとき、先行車両の加速度ａｐが所定の加速度Ａｄより小さいか否かの判定を行う。先行車両の加速度ａｐが所定の加速度Ａｄより小さい場合に、先行車両は減速モードに遷移したと判定する。加速度Ａｄは、予め先行車両走行状態判定部２１Ａに設定されており、例えば−０．３ｍ／ｓ２である。
【００６４】
一方で、先行車両走行状態判定部２１Ａは、先行車両が減速モードのとき、先行車両の加速度ａｐが所定の加速度Ａａより大きいか否かの判定を行う。先行車両の加速度ａｐが所定の加速度Ａａより大きい場合に、先行車両は加速モードに遷移したと判定する。加速度Ａａは、予め先行車両走行状態判定部２１Ａに設定されており、例えば０．５ｍ／ｓ２である。なお、先行車両走行状態判定部２１Ａは、先行車両の初期の第２走行状態を、加速モードとして上記判定を行っている。先行車両走行状態判定部２１Ａにより判定された先行車両の第２走行状態は、後述する目標車間距離設定部２２１Ａの目標車間距離の算出に用いられる。
【００６５】
走行制御部２２Ａは、先行車両走行状態判定部２１Ａによって判定された先行車両の走行状態に基づいて、自車両の走行制御を行う走行制御手段として機能する。第１実施形態の走行制御部２２と比較すると、走行制御部２２Ａは、目標車間距離設定部２２１に代えて目標車間距離設定部２２１Ａを備える点が異なる。
【００６６】
目標車間距離設定部２２１Ａは、先行車両走行状態判定部２１Ａによって判定された先行車両の第２走行状態に基づいて、目標車間距離Ｌｔを算出して設定する目標車間距離設定手段として機能する。目標車間距離設定部２２１Ａは、先行車両走行状態判定部２１Ａにより判定された先行車両の第２走行状態と、車速センサ４から受信した自車両の車速情報が示す自車速Ｖと、車間距離計測装置３から受信した先行車両との距離情報が示す実際の車間距離Ｌと、に基づいて目標車間距離Ｌｔを算出する。
【００６７】
目標車間距離設定部２２１Ａは、例えば先行車両走行状態判定部２１Ａにより判定された先行車両の第２走行状態が加速モードの場合、第１実施形態の目標車間距離設定部２２１が使用した目標車間式（１）を加速時目標車間式として目標車間距離Ｌｔを算出する。目標車間距離設定部２２１Ａは、例えば先行車両走行状態判定部２１Ａにより判定された先行車両の第２走行状態が減速モードの場合、減速時目標車間式として、以下の式（４）を用いて目標車間距離Ｌｔを算出する。なお、最小車間距離Ｌｍｉｎは、目標車間距離設定部２２１Ａに予め設定されており、例えば３．５ｍである。減速開始時車間距離Ｌｄｅｃｅｌは、先行車両が減速を開始した時の自車両と先行車両との車間距離である。減速開始時速度Ｖｄｅｃｅｌは、先行車両が減速を開始した時の自車両の車速である。
【数１】
2012153296.tif 000003
【００６８】
先行車両が減速モードの場合における目標車間距離Ｌｔの算出を具体的に説明する。先行車両走行状態判定部２１Ａにより加速モードから減速モードに遷移したと判定されたとき、目標車間距離設定部２２１Ａは、車間距離計測装置３から受信した先行車両との距離情報が示す距離を減速開始時車間距離Ｌｄｅｃｅｌとして一時的に記憶する。また、先行車両走行状態判定部２１Ａにより加速モードから減速モードに遷移したと判定されたとき、目標車間距離設定部２２１Ａは、車速センサ４から受信した車速情報が示す車速を減速開始時速度Ｖｄｅｃｅｌとして一時的に記憶する。そして、目標車間距離設定部２２１Ａは、一時記憶した減速開始時車間距離Ｌｄｅｃｅｌ及び減速開始時速度Ｖｄｅｃｅｌを目標車間式（４）に代入し、減速時目標車間式を算出する。そして、目標車間距離設定部２２１Ａは、算出した減速時目標車間式を用いて目標車間距離Ｌｔを算出する。
【００６９】
図９は、自車速Ｖと目標車間距離Ｌｔとの関係を示す図である。グラフＢ１は、自車速Ｖと最大目標車間距離との関係の一例を示すグラフである。グラフＢ２は、従来のＡＣＣにおける自車速Ｖと長目標車間距離との関係の一例を示すグラフである。長目標車間距離とは、長い車間距離を許容する場合の目標車間距離である。グラフＢ３は、従来のＡＣＣにおける自車速Ｖと短目標車間距離との関係の一例を示すグラフである。短目標車間距離とは、短い車間距離を許容する場合の目標車間距離である。このグラフ３は、先行車両の第２走行状態が加速モードの場合の、自車速Ｖと目標車間距離Ｌｔとの関係の一例を示すグラフでもある。すなわち、上記目標車間式（１）を表したグラフである。
【００７０】
グラフＢ４は、先行車両の第２走行状態が減速モードの場合の、自車速Ｖと目標車間距離Ｌｔとの関係の一例を示すグラフである。すなわち、減速時目標車間式の一例を表したグラフである。グラフＢ５は、先行車両の第２走行状態が減速モードの場合の、自車速Ｖと目標車間距離Ｌｔとの関係の一例を示すグラフである。グラフＢ５の折れ線部分は、自車両が減速中に自車両と先行車両との間に他車両が割り込んだことを示す。この割り込みにより、目標車間距離設定部２２１Ａは、割り込んだ他車両に対する減速時目標車間式を算出し、以降、算出した減速時目標車間式に基づいて目標車間距離Ｌｔを算出する。
【００７１】
その他の構成については、第１実施形態の車両ＥＣＵ２と同様であるので、その説明を省略する。
【００７２】
続いて、図１０のフローチャートを用いて、走行制御装置１Ａにおける走行制御処理の手順について説明する。この走行制御処理は、車両ＥＣＵ２ＡがＡＣＣオンを示すＡＣＣＯＮ−ＯＦＦ情報をＡＣＣスイッチ８から受信することにより、車両ＥＣＵ２Ａに予め設定された周期で行われる。
【００７３】
まず、先行車両走行状態判定部２１Ａは、先行車両の第２走行状態を判定し、先行車両が加速モードであるか否かを判定する（Ｓ３１）。先行車両が加速モードであると判定された場合（Ｓ３１；Ｙｅｓ）、目標車間距離設定部２２１Ａは、加速時目標車間式（１）に基づいて、目標車間距離Ｌｔを算出する（Ｓ３２）。一方、Ｓ３１の判定において、先行車両が加速モードでないと判定された場合（Ｓ３１；Ｎｏ）、先行車両走行状態判定部２１Ａは、前回走行制御処理を行った時に先行車両が加速モードであったか否かを判定する（Ｓ３３）。
【００７４】
先行車両走行状態判定部２１Ａは、先行車両の走行状態を判定した際に、先行車両の走行状態を判定した時刻を示す時刻情報とともにその判定結果を不図示の記憶手段に一時記憶しておく。そして、先行車両走行状態判定部２１Ａは、記憶手段に記憶されている情報を参照することで、前回走行制御処理を行った時に先行車両が加速モードであったか否かの判定を行う。
【００７５】
前回走行制御処理を行った時に先行車両が加速モードであったと判定された場合（Ｓ３３；Ｙｅｓ）、目標車間距離設定部２２１Ａは、減速時目標車間式を算出する（Ｓ３４）。目標車間距離設定部２２１Ａは、車間距離計測装置３から受信した先行車両との距離情報が示す距離を減速開始時車間距離Ｌｄｅｃｅｌとし、車速センサ４から受信した車速情報が示す車速を減速開始時速度Ｖｄｅｃｅｌとして目標車間式（４）に代入し、減速時目標車間式を算出する。目標車間距離設定部２２１Ａは、Ｓ３４において算出した減速時目標車間式に基づいて、目標車間距離Ｌｔを算出する（Ｓ３７）。
【００７６】
一方、Ｓ３３の判定において、前回走行制御処理を行った時に先行車両が加速モードでなかったと判定された場合（Ｓ３３；Ｎｏ）、前回走行制御処理を行った時の先行車両と、自車両との間に、他車両が割り込んだか否かを判定する（Ｓ３５）。例えば、先行車両走行状態判定部２１Ａは、先行車両の走行状態を判定する際に、先行車両を識別可能な情報を保持しておき、前回の走行制御処理時の先行車両と今回の走行制御処理時の先行車両とが同じであるか否かを判定する。
【００７７】
先行車両走行状態判定部２１Ａは、例えば、不図示の車載カメラの画像情報又は通信装置６を介して受信した先行車両の車両識別情報等を、先行車両を識別可能な情報として保持する。先行車両走行状態判定部２１Ａは、前回の走行制御処理時の先行車両と今回の走行制御処理時の先行車両とが同じ場合には、他車両の割り込みはなかったと判定する。一方、先行車両走行状態判定部２１Ａは、前回の走行制御処理時の先行車両と今回の走行制御処理時の先行車両とが異なる場合には、他車両の割り込みがあったと判定する。
【００７８】
Ｓ３５の判定において、他車両が割り込んだと判定された場合（Ｓ３５；Ｙｅｓ）、目標車間距離設定部２２１Ａは、割り込んだ他車両に対する減速時目標車間式を算出する（Ｓ３６）。すなわち、目標車間距離設定部２２１Ａは、車間距離計測装置３から受信した他車両との距離情報が示す距離を減速開始時車間距離Ｌｄｅｃｅｌとし、車速センサ４から受信した車速情報が示す車速を減速開始時速度Ｖｄｅｃｅｌとして目標車間式（４）に代入し、減速時目標車間式を算出する。そして、目標車間距離設定部２２１Ａは、Ｓ３６において算出した減速時目標車間式に基づいて、目標車間距離Ｌｔを算出する（Ｓ３７）。
【００７９】
一方で、Ｓ３５の判定において、割り込みは無かったと判定された場合（Ｓ３５；Ｎｏ）、前回の走行制御処理時の先行車両と今回の走行制御処理時の先行車両とは同一である。このため、目標車間距離設定部２２１Ａは、前回の走行制御処理時に使用した減速時目標車間式に基づいて、目標車間距離Ｌｔを算出する（Ｓ３７）。そして、走行制御部２２Ａは、Ｓ３２又はＳ３７で算出された目標車間距離Ｌｔに基づいて、自車両の走行制御を行う（Ｓ３８）。
【００８０】
走行制御部２２Ａは、例えば、先行車両との車間距離を目標車間距離Ｌｔとするようにブレーキアクチュエータ１１及びアクセルアクチュエータ１２に対して加減速度情報を出力する。走行制御部２２Ａは、例えば、目標車間距離Ｌｔを示す車間距離情報をＨＭＩ装置１３に出力して、ＨＭＩ装置１３により運転者に通知するようにしてもよい。
【００８１】
また、Ｓ３８の処理の前に、図４のＳ３〜Ｓ５の処理がさらに行われる構成としてもよい。すなわち、走行制御部２２は、目標車間距離設定部２２１Ａによって算出された目標車間距離Ｌｔに基づいて目標加速度ａｔを算出し、算出された目標加速度ａｔに基づいて補正目標加速度ａｌを設定して、自車両の走行制御を行うようにしてもよい。
【００８２】
さらに、走行制御装置１Ａは、自車両が走行している走行経路の交通流速度Ｖtrafficを考慮して目標加速度ａｔを設定するようにしてもよい。この場合、車両ＥＣＵ２Ａは、さらに交通流速度推定部２３を備える。また、走行制御装置１Ａは、自車両が渋滞区間を走行している場合、自車両が渋滞区間におけるどの区間を走行しているかを考慮して加速度制限値ａｌｉｍを設定するようにしてもよい。この場合、車両ＥＣＵ２Ａは、さらに走行区間判定部２４を備える。交通流速度推定部２３及び走行区間判定部２４については、第１実施形態と同様であるため、その説明を省略する。
【００８３】
図１１は、先行車両の車速に対する従来のＡＣＣによる自車両の車速と、走行制御装置１ＡのＡＣＣによる自車両の車速と、を示した図である。従来のＡＣＣは、先行車両の速度変化に追従することを目標として、先行車両との相対速度をゼロにすること及び目標車間に合わせることを行っている。このため、従来のＡＣＣによる自車両の車速Ｖｂは、先行車両の車速Ｖｐに対して加速及び減速が数秒程度遅れた速度変動を繰り返している。その結果、先行車両と同じか、それ以上の速度変動、すなわち加速及び減速が生じている。
【００８４】
一方で、走行制御装置１ＡのＡＣＣによれば、先行車両の走行状態に応じて加速度制限値が設定されるため、先行車両の車速Ｖｐに対して自車両の車速Ｖの変動が少ない。特に、先行車両が急激な加速又は減速を行った場合に、自車両の加速又は減速が制限されている。このため、従来のＡＣＣと比較すると、燃費が向上し、乗り心地も向上する。
【００８５】
このように、走行制御装置１Ａによれば、走行制御装置１の作用効果に加えて以下の作用効果を有する。すなわち、走行制御装置１Ａによれば、先行車両の走行状態に基づいて、目標車間距離を設定して自車両の走行制御を行うことにより、不要な加速を抑制するとともに、先行車両に対して安定した追従を行うことが可能となる。このため、走行制御を必要に応じてより適切に行うことが可能となる。その結果、燃費の向上及び乗り心地の向上が可能となる。
【００８６】
なお、本発明に係る走行制御装置は上記第１及び第２実施形態に記載したものに限定されるものではない。本発明に係る走行制御装置は、各請求項に記載した要旨を変更しないように第１及び第２実施形態に係る走行制御装置を変形し、又は他のものに適用したものであってもよい。例えば、走行制御装置１，１Ａは、交通流速度推定部２３及び走行区間判定部２４を備えてもよい。この場合、自車両が走行している地点における交通流速度Ｖtrafficをさらに考慮して目標加速度ａｔを算出し、渋滞区間の走行区間を考慮して加速度制限値ａｌｉｍを設定する。
【００８７】
例えば、車間距離計測装置３は、ミリ波レーダに代えて、車載カメラを用いて、先行車両等との距離を計測し、距離情報を車両ＥＣＵ２に送信する構成としてもよい。また、車間距離計測装置３は、ドップラーシフトにより発生する出射波と、先行車両や対向車両、路側物、障害物等からの反射波と、の周波数差により、先行車両や対向車両、路側物、障害物等の相対速度の検出を行うようにしてもよい。車間距離計測装置３は、相対速度情報を車両ＥＣＵ２に送信するようにしてもよい。この場合、先行車両走行状態判定部２１，２１Ａは、車間距離計測装置３から受信した先行車両の相対速度情報と、車速センサ４から受信した自車両の車速情報と、加速度センサ５から受信した自車両の加速度情報と、に基づいて、先行車両の車速Ｖｐ及び加速度ａｐを算出し、先行車両の走行状態および第２走行状態を判定するようにしてもよい。
【００８８】
走行区間判定部２４は、多変量解析により渋滞区間を複数の区間に分類し、自車両がどの区間を走行しているか判断しているが、これに限られるものではない。例えば、走行区間判定部２４は、以下のようにして自車両の走行区間を判定してもよい。走行区間判定部２４は、不図示のＧＰＳ受信機から自車両の走行位置を取得する。そして、走行区間判定部２４は、交通流速度推定部２３によって推定された自車両の走行位置における交通流速度Ｖtrafficが速度Ｖ１以下であるか否かを判定する。交通流速度Ｖtrafficが速度Ｖ１以下の場合、走行区間判定部２４は、自車両が渋滞区間を走行していると判定してもよい。
【００８９】
さらに、走行区間判定部２４は、交通流速度Ｖtrafficが、減速傾向を示しているか、安定しているか、上昇傾向を示しているかを判定する。交通流速度Ｖtrafficが、減速傾向を示している場合には、走行区間判定部２４は、自車両が渋滞区間の末尾区間を走行していると判定する。交通流速度Ｖtrafficが、安定している場合には、走行区間判定部２４は、自車両が渋滞区間の中心区間を走行していると判定する。交通流速度Ｖtrafficが、上昇傾向を示している場合には、走行区間判定部２４は、自車両が渋滞区間の回復区間を走行していると判定してもよい。
【００９０】
走行区間判定部２４は、自車両の走行位置における交通流速度Ｖtrafficが速度Ｖ２以上であるか否かを判定する。交通流速度Ｖtrafficが速度Ｖ２以上の場合、走行区間判定部２４は、自車両が渋滞区間から抜けたと判定してもよい。
【００９１】
先行車両走行状態判定部２１，２１Ａは、先行車両の加速度に基づいて先行車両の走行状態の判定を行っているが、この走行状態を判定するためのしきい値は、上記実施形態において示した値に限定されるものではない。また、加速度制限値設定部２２３によって設定される加速度制限値も、上記実施形態において示した値に限定されるものではない。
【００９２】
先行車両走行状態判定部２１Ａは、補正目標加速度ａｌ算出用の先行車両の走行状態と、目標車間距離Ｌｔ算出用の先行車両の第２走行状態と、をそれぞれ判定しているが、補正目標加速度ａｌ算出用と、目標車間距離Ｌｔ算出用とで共通に使用する１つの走行状態を判定するようにしてもよい。
【符号の説明】
【００９３】
１，１Ａ…走行制御装置、２１，２１Ａ…先行車両走行状態判定部（先行車両走行状態判定手段）、２２，２２Ａ…走行制御部（走行制御手段）、２３…交通流速度推定部、２４…走行区間判定部（走行区間判定手段）、２２１，２２１Ａ…目標車間距離設定部、２２２…目標加速度算出部、２２３…加速度制限値設定部、２２４…目標加速度設定部
【図１】
2012153296.tif 000004
【図２】
2012153296.tif 000005
【図３】
2012153296.tif 000006
【図４】
2012153296.tif 000007
【図５】
2012153296.tif 000008
【図６】
2012153296.tif 000009
【図７】
2012153296.tif 000010
【図８】
2012153296.tif 000011
【図９】
2012153296.tif 000012
【図１０】
2012153296.tif 000013
【図１１】
2012153296.tif 000014